(57)【要約】【課題】仕切り壁パネル用ジョイント・コンポーネント、コーナー付仕切り壁パネル部、Ｕ字型仕切り壁パネル部、支持梁、強化柱等に用いられ、素早くかつ簡単に組立て作業に利用でき、家屋やビルのより迅速な建設と建設における省力化を導くことの可能な半プレハブ式壁の提供。【解決手段】建設用半プレハブ式壁は、前面および後面のうちの少なくとも一方に滑らかなまたは粗い面を有する長く平坦なパネル状に成型されたコンクリート壁パネル、混合コンクリート壁パネル、オートクレーブ気泡コンクリート壁パネル、またはその他の所定材料製の壁パネルをなす仕切り壁パネル（１）と、後側部分が仕切り壁パネルの内部に埋設され前側部分が仕切り壁（３）に接続し、仕切り壁パネル同士の接続を補強するメッシュ強化物として仕切り壁パネルの外部に延長した、メッシュ強化格子をなす、メッシュ（２）とを有する。【選択図】図１
2019157618.tif 000002
【特許請求の範囲】
【請求項１】
前面および後面のうちの少なくとも一方に滑らかなまたは粗い面を有する長く平坦なパネル状に成型された、コンクリート壁パネル、混合コンクリート壁パネル、オートクレーブ気泡コンクリート壁パネル、またはその他の所定材料製の壁パネルをなす仕切り壁パネル（１）と、
後側部分が仕切り壁パネル（１）の内部に埋設され、前側部分が仕切り壁（３）に接続し、仕切り壁パネル（１）同士の接続を補強するメッシュ強化物として仕切り壁パネル（１）の外部に延長した、メッシュ強化格子をなす、メッシュ（２）と
を有することを特徴とする建設用半プレハブ式壁。
【請求項２】
仕切り壁（３）に接続するメッシュ強化格子は、仕切り壁（３）に固定された、仕切り壁（３）の長手方向の辺に対して垂直な強化バー（４）を有し、
強化バー（４）は、仕切り壁（３）から突出した、仕切り壁パネル（１）同士の接続を補強するための少なくとも１本のメッシュ形成用バーからなることを特徴とする請求項１に記載の建設用半プレハブ式壁。
【請求項３】
仕切り壁パネル（１）の一方の面側の左端部には、上端から下端にわたってオープンエンドに形成された、左端部での他の仕切り用パネル（１）との接続を強化するための溝（５）を有し、
仕切り壁パネル（１）の他方の面側の右端部には、上端から下端にわたってオープンエンドに形成された、右端部での他の仕切り用パネル（１）との接続を強化するための溝（６）を有し、
仕切り壁パネル（１）同士が、夫々の面の端部に形成された溝（５）、（６）を介して仕切り壁パネル（１）の辺と共に接続されるようにしたことを特徴とする請求項１又は２に記載の建設用半プレハブ式壁。
【請求項４】
仕切り壁パネル（１）の一側端面には、舌形状の突出部（８）を有し、
仕切り壁パネル（１）の他側端面には、刳り溝（９）を有し、
仕切り壁パネル（１）同士が、夫々の側端面に形成された舌形状の突出部（８）と刳り溝（９）を介して仕切り壁パネル（１）の辺と共に接続されるようにしたことを特徴とする請求項１又は２に記載の建設用半プレハブ式壁。
【請求項５】
仕切り壁（３）に接続するメッシュ強化格子は、仕切り壁（３）に固定された、仕切り壁（３）の長手方向の辺に対して平行な強化バー（７）を有し、
強化バー（７）は、仕切り壁（３）から突出した、仕切り壁パネル（１）同士の接続を補強するための少なくとも１本のメッシュ形成用バーからなることを特徴とする請求項１〜４のいずれかに記載の建設用半プレハブ式壁。
【請求項６】
第１の仕切り壁パネル（１）の側端部と、接続すべき第２の仕切り壁パネル（１’）の側端部とが位置合わせされた状態で、仕切り壁パネル（１）、（１’）同士の長手方向の一つの辺が接続された、建設作業における接合組立て用の直角仕切り壁パネル（１０）が形成されるようにしたことを特徴とする請求項１又は２に記載の建設用半プレハブ式壁。
【請求項７】
前記直角仕切り壁パネル（１０）が、第１の仕切り壁パネル（１）と第２の仕切り壁パネル（１’）とを、接続することにより、または第１の仕切り壁パネル（１）と第２の仕切り壁パネル（１’）とを同時に成型することにより、作製されるようにしたことを特徴とする請求項６に記載の建設用半プレハブ式壁。
【請求項８】
第１の仕切り壁パネル（１）の側端部と、接続すべき第２の仕切り壁パネル（１’）の側端部とが位置合わせされた状態で、仕切り壁パネル（１）、（１’）同士の長手方向の一つの辺が接続され、第１の仕切り壁パネル（１）の側端部と、接続すべき第３の仕切り壁パネル（１”）の側端部とが位置合わせされた状態で、仕切り壁パネル（１）、（１”）同士の長手方向の一つの辺が接続された、建設作業における接合組立て用のＵ字型仕切り壁パネル（１１）が形成されるようにしたことを特徴とする請求項１〜５の何れかに記載の建設用半プレハブ式壁。
【請求項９】
前記Ｕ字型仕切り壁パネル（１１）が、第１の仕切り壁パネル（１）と第２の仕切り壁パネル（１’）と第３の仕切り壁パネル（１”）とを、接続することにより、または第１の仕切り壁パネル（１）と第２の仕切り壁パネル（１’）と第３の仕切り壁パネル（１”）とを同時に成型することにより、作製されるようにしたことを特徴とする請求項８に記載の建設用半プレハブ式壁。
【請求項１０】
仕切り壁（３）に接続するメッシュ強化格子は、接続ユニット材（１３）を介して仕切り壁パネル（１）同士の接続を補強することができるようにしたことを特徴とする請求項１〜５の何れかに記載の建設用半プレハブ式壁。
【請求項１１】
第１の仕切り壁パネル（１）の仕切り壁（３）に接続するメッシュ強化格子が、対向配置された第２の仕切り壁パネル（１’）の仕切り壁（３）に接続するメッシュ強化格子と対面した状態で、接続ユニット材（１３）を介して仕切り壁パネル（１）、（１’）同士の接続を補強することができるようにしたことを特徴とする請求項１〜５の何れかに記載の建設用半プレハブ式壁。
【請求項１２】
第１の直角仕切り壁パネル（１０）の左端部と右端部が、第２の直角仕切り壁パネル（１０’）の左端部と右端部に接続し、接続ユニット材（１３）を介して直角仕切り壁パネル（１０）、（１０’）同士の接続が補強された、強化柱（１５）を形成することができるようにしたことを特徴とする請求項６に記載の建設用半プレハブ式壁。
【請求項１３】
仕切り壁パネル（１）の左端部と右端部が、Ｕ字型仕切り壁パネル（１１）の左端部と右端部に接続し、接続ユニット材（１３）を介して仕切り壁パネル（１）とＵ字型仕切り壁パネル（１１）の接続が補強された、強化柱（１５）を形成することができるようにしたことを特徴とする請求項１〜５の何れかに記載の建設用半プレハブ式壁。
【請求項１４】
接続ユニット材は、セメント、混合セメント、断熱材、混合断熱材、またはその他の保持および接続のための所定材料からなることを特徴とする請求項１〜１３の何れかに記載の建設用半プレハブ式壁。
【発明の詳細な説明】
【技術分野】
【０００１】
本発明は、建設用半プレハブ壁に関する。
【背景技術】
【０００２】
図９に従来の建設用壁パネルを示す。従来の建設用壁パネルは、その内部に強化構造２２を備えた長い平坦なパネル状に成型されたコンクリートスラブとしての仕切り壁２１で構成されている。
図１０に従来の建設用建物強化柱を示す。従来の建設用建物強化柱は、その内部に強化構造２４を備えた長い中空のコンクリート・パイプとしてのプレハブ式コンクリート・パイプ２３を有し、パイプ２３の中空部において、接続ユニット材２６が、接続ユニット材２６と共に成型物を強化するための受け芯２５を纏い覆う構成となっている。
接続ユニット材２６は、プレハブ式コンクリート・パイプ２３の長手方向に沿って中空部を接合するセメントまたは混合セメントで構成されている。
【発明の概要】
【発明が解決しようとする課題】
【０００３】
本発明の目的は、仕切り壁パネル用ジョイント・コンポーネント、コーナー付仕切り壁パネル部、Ｕ字型仕切り壁パネル部、支持梁、強化柱、または建設作業に必要なジョイント・コンポーネントとして用いられ、素早くかつ簡単に組立て作業に利用でき、家屋やビルのより迅速な建設と建設における省力化を導くことの可能な半プレハブ式壁を提供することである。
【課題を解決するための手段】
【０００４】
上記課題を解決するため、本発明による建設用半プレハブ式壁は、前面および後面のうちの少なくとも一方に滑らかなまたは粗い面を有する長く平坦なパネル状に成型された、コンクリート壁パネル、混合コンクリート壁パネル、オートクレーブ気泡コンクリート壁パネル、またはその他の所定材料製の壁パネルをなす仕切り壁パネル１と、後側部分が仕切り壁パネル１の内部に埋設され、前側部分が仕切り壁３に接続し、仕切り壁パネル１同士の接続を補強するメッシュ強化物として仕切り壁パネル１の外部に延長した、メッシュ強化格子をなす、メッシュ２と、を有することを特徴としている。
【０００５】
また、本発明の建設用半プレハブ式壁においては、仕切り壁３に接続するメッシュ強化格子は、仕切り壁３に固定された、仕切り壁３の長手方向の辺に対して垂直な強化バー４を有し、強化バー４は、仕切り壁３から突出した、仕切り壁パネル１同士の接続を補強するための少なくとも１本のメッシュ形成用バーからなるのが好ましい。
【０００６】
また、本発明の建設用半プレハブ式壁においては、仕切り壁パネル１の一方の面側の左端部には、上端から下端にわたってオープンエンドに形成された、左端部での他の仕切り用パネル１との接続を強化するための溝５を有し、該仕切り壁パネル１の他方の面側の右端部には、上端から下端にわたってオープンエンドに形成された、右端部での他の仕切り用パネル１との接続を強化するための溝６を有し、仕切り壁パネル１同士が、夫々の面の端部に形成された溝５、６を介して仕切り壁パネル１の辺と共に接続されるようにするのが好ましい。
【０００７】
また、本発明の建設用半プレハブ式壁においては、仕切り壁パネル１の一側端面には、舌形状の突出部８を有し、仕切り壁パネル１の他端面には、刳り溝９を有し、仕切り壁パネル１同士が、夫々の側端面に形成された舌形状の突出部８と刳り溝９を介して仕切り壁パネル１の辺と共に接続されるようにするのが好ましい。
【０００８】
また、本発明の建設用半プレハブ式壁においては、仕切り壁３に接続するメッシュ強化格子は、仕切り壁３に固定された、仕切り壁３の長手方向の辺に対して平行な強化バー７を有し、強化バー７は、仕切り壁３から突出した、仕切り壁パネル１同士の接続を補強するための少なくとも１本のメッシュ形成用バーからなるのが好ましい。
【０００９】
また、本発明の建設用半プレハブ式壁においては、第１の仕切り壁パネル１の側端部と、接続すべき第２の仕切り壁パネル１’の側端部とが位置合わせされた状態で、仕切り壁パネル１、１’同士の長手方向の一つの辺が接続された、建設作業における接合組立て用の直角仕切り壁パネル１０が形成されるようにするのが好ましい。
【００１０】
また、本発明の建設用半プレハブ式壁においては、上記直角仕切り壁パネル１０が、第１の仕切り壁パネル１と第２の仕切り壁パネル１’とを、接続することにより、または第１の仕切り壁パネル１と第２の仕切り壁パネル１’とを同時に成型することにより、作製されるようにするのが好ましい。
【００１１】
また、本発明による建設用半プレハブ式壁においては、第１の仕切り壁パネル１の側端部と、接続すべき第２の仕切り壁パネル１’の側端部とが位置合わせされた状態で、仕切り壁パネル１、１’同士の長手方向の一つの辺が接続され、第１の仕切り壁パネル１の側端部と、接続すべき第３の仕切り壁パネル１”の側端部とが位置合わせされた状態で、仕切り壁パネル１、１”同士の長手方向の一つの辺が接続された、建設作業における接合組立て用のＵ字型仕切り壁パネル１１が形成されるようにするのが好ましい。
【００１２】
また、本発明の建設用半プレハブ式壁においては、上記Ｕ字型仕切り壁パネル１１が、第１の仕切り壁パネル１と第２の仕切り壁パネル１’と第３の仕切り壁パネル１”とを、接続することにより、または第１の仕切り壁パネル１と第２の仕切り壁パネル１’と第３の仕切り壁パネル１”とを同時に成型することにより、作製されるようにするのが好ましい。
【００１３】
また、本発明の建設用半プレハブ式壁においては、仕切り壁パネル３に接続するメッシュ強化格子３は、接続ユニット材１３を介して仕切り壁パネル１同士の接続を補強することができるようにするのが好ましい。
【００１４】
また、本発明の建設用半プレハブ式壁においては、第１の仕切り壁パネル１の仕切り壁３に接続するメッシュ強化格子が、対向配置された第２の仕切り壁パネル１’の仕切り壁３に接続するメッシュ強化格子と対面した状態で、接続ユニット材１３を介して仕切り壁パネル１、１’同士の接続を補強することができるようにするのが好ましい。
【００１５】
また、本発明の建設用半プレハブ式壁においては、第１の直角仕切り壁パネル１０の左端部と右端部が、第２の直角仕切り壁パネル１０’の左端部と右端部に接続し、接続ユニット材１３を介して直角仕切り壁パネル１０、１０’同士の接続が補強された、強化柱１５を形成することができるようにするのが好ましい。
【００１６】
また、本発明の建設用半プレハブ式壁においては、仕切り壁パネル１の左端部と右端部が、Ｕ字型仕切り壁パネル１１の左端部と右端部に接続し、接続ユニット材１３を介して仕切り壁パネル１とＵ字型仕切り壁パネル１１の接続が補強された、強化柱１５を形成することができるようにするのが好ましい。
【００１７】
また、本発明の建設用半プレハブ式壁においては、接続ユニット材は、セメント、混合セメント、断熱材、混合断熱材、またはその他の保持および接続のための所定材料からなるのが好ましい。
【発明の効果】
【００１８】
本発明によれば、仕切り壁パネル用ジョイント・コンポーネント、コーナー付仕切り壁パネル部、Ｕ字型仕切り壁パネル部、支持梁、強化柱、または建設作業に必要なジョイント・コンポーネントとして用いられ、素早くかつ簡単に組立て作業に利用でき、家屋やビルのより迅速な建設と建設における省力化を導くことの可能な半プレハブ式壁が得られる。
【図面の簡単な説明】
【００１９】
【図１】本発明の実施形態による建設用半プレハブ壁の一例を示す説明図である。
【図２】本発明の実施形態による建設用半プレハブ壁の他の例を示す説明図である。
【図３】本発明の実施形態による建設用半プレハブ壁のさらに他の例を示す説明図である。
【図４】本発明の実施形態による建設用半プレハブ壁のさらに他の例を示す説明図である。
【図５】本発明の実施形態による建設用半プレハブ壁のさらに他の例を示す説明図である。
【図６】本発明の実施形態による建設用半プレハブ壁の利用態様の一例を示す説明図である。
【図７】本発明の実施形態による建設用半プレハブ壁の利用態様の他の例を示す説明図である。
【図８】本発明の実施形態による建設用半プレハブ壁の利用態様のさらに他の例を示す説明図である。
【図９】従来の建設用壁パネルの一例を示す説明図である。
【図１０】従来の建設用ビル補強柱の一例を示す説明図である。
【発明を実施するための形態】
【００２０】
図１は本発明の実施形態による建設用半プレハブ式壁の一例を示す説明図である。
図１の建設用半プレハブ式壁は、前面および後面のうちの少なくとも一方に滑らかなまたは粗い面を有する長く平坦なパネル状に成型された、コンクリート壁パネル、混合コンクリート壁パネル、オートクレーブ気泡コンクリート壁パネル、またはその他の所定材料製の壁パネルをなす仕切り壁パネル１と、メッシュ２と、を有して構成されている。
仕切り壁パネル１は、前側および後側のうちの少なくとも一方の側に、仕切り壁パネル１の内部に埋設されているメッシュ２を、仕切り壁パネル１同士の接続を補強するように、強化した構造を備えている。
【００２１】
メッシュ２は、仕切り壁パネル１の内部に埋め込まれた後側部分と、仕切り壁パネル１の外部に延長して表出した前側部分とを有し、トラス構造を備えている。
そして、メッシュ２は、建設作業における接合組立てのために、仕切り壁パネル１を成型する際、仕切り壁パネル１の成型物と共に成型される、仕切り壁３に接続し、仕切り壁パネル１同士の接続を補強するトラス構造のメッシュ強化格子をなしている。
【００２２】
仕切り壁３に接続するメッシュ強化格子は、仕切り壁３に固定された、仕切り壁３の長手方向の辺に対して垂直な強化バー４を有している。
強化バー４は、仕切り壁３から突出した、仕切り壁パネル１同士の接続を補強するための少なくとも１本のメッシュ形成用バーで構成されている。
【００２３】
また、仕切り壁パネル１の一方（前側）の面側の左端部には、上端部から下端部にわたってオープンエンドに形成された、左端部での他の仕切り用パネル１との接続を強化するための溝５を有している。
また、仕切り壁パネル１の他方（後側）の面側の右端部には、上端部から下端部にわたってオープンエンドに形成された、右端部での他の仕切り用パネル１との接続を強化するための溝６を有している。
そして、仕切り壁パネル１同士が、夫々の面の端部に形成された溝５、６を介して仕切り壁パネル１の辺と共に接続されるようになっている。
例えば、第１の仕切り壁パネル１の一方の面側の左端部に形成された溝５に、第２の仕切り壁パネル１の他方の面側の右端部に形成された溝６よりも先の端部を嵌め合わせることで、互いの仕切り壁パネル１同士の短手方向の一つの辺を接続して、仕切り壁パネルの長さを長くすることができる。
また、例えば、第１の仕切り壁パネル１、第２の仕切り壁パネル１の夫々の、一方の面における左端部に形成された溝５同士、他方の面側の左端部に形成された溝６同士が連通するように、夫々の側端部を位置合わせして、互いの仕切り壁パネル１同士の長手方向の一つの辺が接続された状態にすると、溝６に更に他の仕切り壁パネル１の溝５よりも先の端部を嵌め合わせることで、互いの仕切り壁パネル１同士の短手方向の一つの辺を接続して、仕切り壁パネルの長さを長くすることができる。さらには、連通した溝に嵌合し得る、図示しない所定部材を嵌め合わせることで、仕切り壁パネル１同士の接続を強化することができる。
【００２４】
また、仕切り壁３に接続するメッシュ強化格子は、仕切り壁３に固定された、仕切り壁３の長手方向の辺に対して平行な強化バー７を有している。
強化バー７は、仕切り壁３から突出した、仕切り壁パネル１同士の接続を補強するための少なくともの１本のメッシュ形成用バーで構成されている。
【００２５】
図２は本発明の実施形態による建設用半プレハブ壁の他の例を示す説明図である。
図２の建設用半プレハブ式壁では、仕切り壁パネル１の一側端面には、舌形状の突出部８を有している。
また、仕切り壁パネル１の他側端面には、刳り溝９を有している。
そして、仕切り壁パネル１同士が、夫々の面の側端面に形成された舌形状の突出部８と刳り溝９を介して仕切り壁パネル１の辺と共に接続されるようになっている。
例えば、第１の仕切り壁パネル１の一側端面に有する舌形状の突出部８を、第２の仕切り壁パネル１の他側端面に有する刳り溝９に嵌め合わせることで、互いの仕切り壁パネル１同士の短手方向の一つの辺を接続して、仕切り壁パネルの長さを長くすることができる。
また、例えば、第１の仕切り壁パネル１、第２の仕切り壁パネル１の夫々の、一側端面に有する舌形状の突出部８同士、他側端面に有する刳り溝９同士が一続きとなるように、夫々の側端部を位置合わせして、互いの仕切り壁パネル１同士の長手方向の一つの辺が接続された状態にすると、舌形状の突出部８や刳り溝９に更に他の仕切り壁パネル１の刳り溝９や舌形状の突出部８を嵌め合わせることで、互いの仕切り壁パネル１同士の短手方向の一つの辺を接続して、仕切り壁パネルの長さを長くすることができる。さらには、一続きとなった、舌形状の突出部８や刳り溝９に嵌合し得る、図示しない所定部材を嵌め合わせることで、仕切り壁パネル１同士の接続を強化することができる。
【００２６】
図３は本発明の実施形態による建設用半プレハブ壁のさらに他の例を示す説明図である。
図３の建設用半プレハブ壁では、第１の仕切り壁パネル１の側端部と、第２の仕切り壁パネル１’の側端部とが位置合わせされた状態で、仕切り壁パネル１、１’同士の長手方向の一つの辺が接続されることによって、建設作業における接合組立て用の直角仕切り壁パネル１０が形成されるようにしている。
直角仕切り壁パネル１０は、第１の仕切り壁パネル１と第２の仕切り壁パネル１’とを、接続することにより、または第１の仕切り壁パネル１と第２の仕切り壁パネル１’とを同時に成型することにより作製することができる。
【００２７】
図４は本発明の実施形態による建設用半プレハブ壁のさらに他の例を示す説明図である。
図４の建設用半プレハブ壁では、第１の仕切り壁パネル１の側端部と、第２の仕切り壁パネル１’の側端部とが位置合わせされた状態で、仕切り壁パネル１、１’同士の長手方向の一つの辺が接続されている。
また、第１の仕切り壁パネル１の側端部と、第３の仕切り壁パネル１”の側端部とが位置合わせされた状態で、仕切り壁パネル１、１”同士の長手方向の一つの辺が接続されている。
そして、これによって、建設作業における接合組立て用のＵ字型仕切り壁パネル１１が形成されるようにしている。
Ｕ字型仕切り壁パネル１１は、第１の仕切り壁パネル１と第２の仕切り壁パネル１’と第３の仕切り壁パネル１”とを、接続することにより、または第１の仕切り壁パネル１と第２の仕切り壁パネル１’と第３の仕切り壁パネル１”とを同時に成型することにより作製することができる。
【００２８】
図５は本発明の実施形態による建設用半プレハブ壁のさらに他の例を示す説明図である。
図５の建設用半プレハブ壁では、仕切り壁３に接続するメッシュ強化格子は、接続ユニット材１３に覆われ、接続ユニット材１３を介して仕切り壁パネル１同士の接続を補強することができるように構成されている。
接続ユニット材１３は、建設作業における接合組み立てのために、仕切り壁３をメッシュ強化格子と共に保持する、セメント、混合セメント、断熱材、または混合断熱材で構成されている。
【００２９】
図６は本発明の実施形態による建設用半プレハブ壁の利用態様の一例を示す説明図である。
図６の建設用半プレハブ壁の利用形態では、第１の仕切り壁パネル１の仕切り壁３に接続するメッシュ強化格子が、対向配置された第２の仕切り壁パネル１’の仕切り壁３に接続するメッシュ強化格子と対面した状態で、接続ユニット材１３を介して仕切り壁パネル１、１’同士の接続が補強された、建設作業における接合組み立て用の強化梁が形成されている。
接続ユニット材１３は、第１の仕切り壁パネル１の仕切り壁３に接続するメッシュ強化格子と第２の仕切り壁パネル１’の仕切り壁３に接続するメッシュ強化格子とを保持して、建設作業における接合組み立て用の強化梁を形成するための、セメント、混合セメント、断熱材、または混合断熱材で構成されている。
【００３０】
図７は本発明の実施形態による建設用半プレハブ壁の利用態様の他の例を示す説明図である。
図７の建設用半プレハブ壁の利用形態では、第１の直角仕切り壁パネル１０の左右の端部が、第２の直角仕切り壁パネル１０’の左右の端部に接続し、接続ユニット材１３を介して直角仕切り壁パネル１０、１０’同士の接続が補強された、建設作業における接合組み立て用の強化柱１５が形成されている。
接続ユニット材１３は、第１の直角仕切り壁パネル１０の左右の端部と第２の直角仕切り壁パネル１０’の左右の端部とに囲まれた内部の夫々のメッシュ強化格子を保持して、建設作業における接合組み立て用の強化柱１５を形成するための、セメント、混合セメント、断熱材、または混合断熱材で構成されている。
【００３１】
図８は本発明の実施形態による建設用半プレハブ壁の利用態様のさらに他の例を示す説明図である。
図８の建設用半プレハブ壁の利用形態では、仕切り壁パネル１の左右の端部が、Ｕ字型仕切り壁パネル１１の左右の端部と接続し、接続ユニット材１３を介して仕切り壁パネル１とＵ字型仕切り壁パネル１１の接続が補強された、建設作業における接合組み立て用の強化柱１５が形成されている。
接続ユニット材１３は、仕切り壁パネル１の左右の端部とＵ字型仕切り壁パネル１１の左右の端部とに囲まれた内部の夫々のメッシュ強化格子を保持し、建設作業における接合組み立て用の強化柱１５を形成するための、セメント、混合セメント、断熱材、または混合断熱材で構成されている。
【００３２】
本発明の実施形態の各例の建設用半プレハブ壁によれば、後側部分が仕切り壁パネル１の内部に埋設され前側部分が仕切り壁３に接続し、仕切り壁パネル１同士の接続を補強するメッシュ強化物として仕切り壁パネル１の外部に延長した、メッシュ強化格子をなす、メッシュ２を有する構成としたので、仕切り壁パネル同士を接続した後に、従来技術における成型物を強化するための受け芯２５を設けることなく、接続ユニット材を介して、仕切り壁パネル同士の接続を補強することができる。
【００３３】
また、本発明の実施形態の各例の建設用半プレハブ壁によれば、仕切り壁パネル１の一方の面側の左端部に溝５、他方の面側の右端部に溝６を有する構成や、仕切り壁パネル１の一側端面に舌形状の突出部、他側端面に刳り溝９を有する構成としたので、例えば、第１の仕切り壁パネル１の一方の面側の左端部に形成された溝５に、第２の仕切り壁パネル１’の他方の面側の右端部に形成された溝６よりも先の端部を嵌め合わせる、または、第１の仕切り壁パネル１の一側端面に有する舌形状の突出部８を、第２の仕切り壁パネル１’の他側端面に有する刳り溝９に嵌め合わせることで、互いの仕切り壁パネル１同士の短手方向の一つの辺を接続して、仕切り壁パネルの長さを長くすることができる。
また、例えば、第１の仕切り壁パネル１、第２の仕切り壁パネル１’の夫々の、一方の面における左端部に形成された溝５同士、他方の面側の左端部に形成された溝６同士が連通するように、夫々の側端部を位置合わせして、互いの仕切り壁パネル１同士の長手方向の一つの辺が接続された状態にすると、溝６に更に他の仕切り壁パネル１の溝５よりも先の端部を嵌め合わせることで、互いの仕切り壁パネル１同士の短手方向の一つの辺を接続して、仕切り壁パネルの長さを長くすることができる。さらには、連通した溝に嵌合し得る、図示しない所定部材を嵌め合わせることで、仕切り壁パネル１同士の接続を強化することができる。
また、例えば、第１の仕切り壁パネル１、第２の仕切り壁パネル１’の夫々の、一側端面に有する舌形状の突出部８同士、他側端面に有する刳り溝９同士が一続きとなるように、夫々の側端部を位置合わせして、互いの仕切り壁パネル１同士の長手方向の一つの辺が接続された状態にすると、舌形状の突出部８や刳り溝９に更に他の仕切り壁パネル１の刳り溝９や舌形状の突出部８を嵌め合わせることで、互いの仕切り壁パネル１同士の短手方向の一つの辺を接続して、仕切り壁パネルの長さを長くすることができる。さらには、一続きとなった、舌形状の突出部８や刳り溝９に嵌合し得る、図示しない所定部材を嵌め合わせることで、仕切り壁パネル１同士の接続を強化することができる。
【００３４】
このため、本発明の実施形態の各例の建設用半プレハブ壁によれば、仕切り壁パネル用ジョイント・コンポーネント、コーナー付仕切り壁パネル部、Ｕ字型仕切り壁パネル部、支持梁、強化柱、または建設作業に必要なジョイント・コンポーネントとして用いられ、素早くかつ簡単に組立て作業に利用でき、家屋やビルのより迅速な建設と建設における省力化を導くことの可能な半プレハブ式壁が得られる。
【産業上の利用可能性】
【００３５】
本発明の建設用半プレハブ壁は、仕切り壁パネル用ジョイント・コンポーネント、コーナー付仕切り壁パネル部、Ｕ字型仕切り壁パネル部、支持梁、強化柱、または建設作業に必要なジョイント・コンポーネントとして用いることが求められる分野に有用である。
【符号の説明】
【００３６】
１、１’、１”    仕切り壁パネル
２                メッシュ
３                仕切り壁
４、７            強化バー
５、６            溝
８                舌形状の突出部
９                刳り溝
１０              直角仕切り壁パネル
１１              Ｕ字型仕切り壁パネル
１３、２６        接続ユニット材
１５              強化柱
２１              仕切り壁
２２              強化構造
２３              プレハブ式コンクリート・パイプ
２４              強化構造
２５              受け芯
【図１】
2019157618.tif 000003
【図２】
2019157618.tif 000004
【図３】
2019157618.tif 000005
【図４】
2019157618.tif 000006
【図５】
2019157618.tif 000007
【図６】
2019157618.tif 000008
【図７】
2019157618.tif 000009
【図８】
2019157618.tif 000010
【図９】
2019157618.tif 000011
【図１０】
2019157618.tif 000012